(57)【要約】【課題】自然の風景を背景としたよりリアルで違和感のない高級感ある写真の撮影を可能とする。【解決手段】撮影ブースの筐体からの遠端部近傍の天井部分に収納されたそれぞれ自然の風景が印刷された複数のカーテンと、使用者の入力操作に応答して、複数のカーテンのうちのいずれか一つの選択を受け付ける選択受付手段と、該選択受付手段により受け付けられた選択に応じて、該選択されたカーテンを撮影ブース内に繰り出し、撮影の背景とするカーテン操作手段と、選択受付手段により受け付けられた選択に応じて、照明手段による照明を選択されたカーテンに印刷された自然の風景に対応するように調整するライティング調整手段とを有する。【選択図】　　　図５
2004085595.tif 000002
【特許請求の範囲】
【請求項１】
被写体を収容するスペースを備える撮影ブースと、該撮影ブースに隣接して設置され、該撮影ブース内の被写体を撮影するための少なくとも一の撮影手段を備える筐体と、前記撮影ブースまたは前記筐体に設けられた被写体を照明するための照明手段とを備える自動写真撮影装置であって、
前記撮影ブースの前記筐体からの遠端部近傍の天井部に収納されたそれぞれ自然の風景が印刷された複数のカーテンと、
使用者の入力操作に応答して、複数のカーテンのうちのいずれか一つの選択を受け付ける選択受付手段と、
該選択受付手段により受け付けられた選択に応じて、該選択されたカーテンを撮影ブース内に繰り出し、撮影の背景とするカーテン操作手段と、
前記選択受付手段により受け付けられた選択に応じて、照明手段による照明を選択されたカーテンに印刷された自然の風景に対応するように調整するライティング調整手段と
を有することを特徴とする自動写真撮影装置。
【請求項２】
前記筐体が、更に被写体に対して風を吹き出す送風ファンを備えることを特徴とする請求項１に記載の自動写真撮影装置。
【請求項３】
前記送風ファンの駆動が選択されたカーテンに応じて制御されることを特徴とする請求項２に記載の自動写真撮影装置。
【請求項４】
前記天井部に前記カーテンの繰り出しのための開口を備えていることを特徴とする請求項１から３のいずれか一項に記載の自動写真撮影装置。
【請求項５】
前記カーテンが一端側からロール状に巻かれて、前記天井部に収納されていることを特徴とする請求項１から４のいずれか一項に記載の自動写真撮影装置。
【請求項６】
前記カーテン操作手段が、前記カーテンが天井部に収納されているときに、該カーテンの繰り出しをロックする解除自在なロック手段を有しており、前記選択受付手段により受け付けられた選択に応じて、該ロック手段のロックを解除することを特徴とする請求項５に記載の自動写真撮影装置。
【請求項７】
前記カーテン操作手段が、前記選択受付手段により受け付けられた選択が、現在撮影ブース内に繰り出されたカーテンと対応しない場合には、該撮影ブース内に繰り出されているカーテンを巻き上げ、天井部に収納する巻上手段を有することを特徴とする請求項５または６に記載の自動写真撮影装置。
【請求項８】
前記ライティング変更手段が、前記照明手段の照明の明るさを選択された自然の風景に対応するように調整するものであることを特徴とする請求項１から７のいずれか一項に記載の自動写真撮影装置。
【請求項９】
前記ライティング変更手段が、前記照明手段の照明に選択された自然の風景に対応するフィルタを適用するものであることを特徴とする請求項１から７のいずれか一項に記載の自動写真撮影装置。
【請求項１０】
所定の回数の撮影を行った後、前記選択受付手段がカーテンの変更を受け付けるように構成されていることを特徴とする請求項１から９のいずれか一項に記載の自動写真撮影装置。
【請求項１１】
撮影した画像に対する編集、撮影した画像のレイアウト、及び、撮影した画像の印刷のいずれか一以上の機能を備えることを特徴とする請求項１から１０に記載の自動写真撮影装置。
【発明の詳細な説明】
【０００１】
【発明の属する技術分野】
本発明は、撮影ブース内において被写体の写真を撮影する自動写真撮影装置に関し、特に、撮影時に様々な背景を選択することができる自動写真撮影装置に関する。
【０００２】
【従来の技術】
従来より、撮影ブース内に向けて設置されたカメラなどの撮影手段により被写体の画像を撮影し、当該画像を写真としてユーザに提供する自動写真撮影装置が知られている。
【０００３】
このような自動写真撮影装置の多くは、撮影用カメラを収容する筐体に、ズームやフィルタリングなどの撮影オプションの選択を可能にするための操作パネルや、撮影された被写体画像を表示し、あるいは更に、撮影された被写体画像に所定の画像や利用者による描画を追加できるタッチパネル式表示装置を備え付け、あるいは、種々の照明効果の異なる写真撮影を可能にするため、撮影ブース内にスポットライトやフラッシュなどの照明機器を配置するするなどにより、高いアミューズメント性が付与される傾向にあり、比較的若い利用者層を中心に広く利用されている。
【０００４】
そして近年では、撮影ブース後方に配置したスクリーンを背景として利用することにより、スクリーン上の景観を背景とした写真撮影を可能としたり、或いは、特定色のカラーカーテンを背景として利用することにより、撮影像にクロマキー処理を施し、背景の景観をデジタル的に合成すことを可能にするなど、より娯楽性の高い自動写真撮影装置の開発が行われている。
【０００５】
背景の景観をデジタル的に合成する場合、事後的に簡単に好きな背景の景観、例えば自然の風景等を付加したり変更することができるが、デジタル的に描画された風景はどうしても安っぽいものとなってしまい、またクロマキー処理に際して被写体の背景と同色の部分が抜けてしまったり、髪の毛などのマスク処理がうまく行えないなどクロマキー処理に付随する問題もあり、満足のいくものではなかった。
【０００６】
また、スクリーン上の景観を背景として写真撮影する場合であっても、被写体に対するライティングが、スクリーン上の景観とは無関係に決められているため、スクリーン上の景観と人物のライティングが必ずしもマッチせず、でき上がった写真が違和感のあるものとなっていた。
【０００７】
このため、景観、特に自然の風景を背景としたよりリアルで違和感のない高級感ある写真の撮影が可能な自動写真撮影装置の開発が望まれていた。
【０００８】
【課題を解決するための手段】
本発明は、かかる問題に鑑みてなされたものであり、被写体を収容するスペースを備える撮影ブースと、該撮影ブースに隣接して設置され、該撮影ブース内の被写体を撮影するための少なくとも一の撮影手段を備える筐体と、前記撮影ブースまたは前記筐体に設けられた被写体を照明するための照明手段とを備える自動写真撮影装置であって、前記撮影ブースの前記筐体からの遠端部近傍の天井部に収納されたそれぞれ自然の風景が印刷された複数のカーテンと、使用者の入力操作に応答して、複数のカーテンのうちのいずれか一つの選択を受け付ける選択受付手段と、該選択受付手段により受け付けられた選択に応じて、該選択されたカーテンを撮影ブース内に繰り出し、撮影の背景とするカーテン操作手段と、前記選択受付手段により受け付けられた選択に応じて、照明手段による照明を選択されたカーテンに印刷された自然の風景に対応するように変化させるライティング変更手段とを有することを特徴とする自動写真撮影装置である。
【０００９】
カーテンは、撮影ブース内のスペースの概ね全幅、全高にわたる大きさを有しており、自然の風景として、例えば真夏の砂浜や、新緑の森、紅葉の林、雪山といった任意の風景がリアルに印刷されている。
【００１０】
このようなリアルな背景カーテンを装備することにより、上記したようなクロマキー処理に付随する問題をこうむることなく、リアルな自然の風景を背景として写真撮影をすることが可能となる。
【００１１】
また、このようなリアルな背景カーテンを複数用意し、いずれかを撮影ブース内に繰り出して使用することにより、撮影ブース内のイメージを手軽に一新することができ、またいろいろな自然の風景内での写真撮影が可能となり、撮影時のアミューズメント性が更に高まるという効果も有する。
【００１２】
更には、本願発明にあっては、照明手段による照明を選択された自然の風景に対応するように変化させるので、カーテンに印刷された自然の風景にあった照明、例えば真夏の砂浜なら真夏の強い陽光に対応する明るい照明や、森林ならやや落ち着いた照明が被写体に照射された状態で、写真撮影が行われ、できあがった写真はまさに被写体がその自然の風景の中にいたかのように違和感のないリアルなものとなる。
【００１３】
しかも、撮影ブース内へのカーテンの繰り出し、照明の変更は、使用者による自然の風景の選択に基づき、自動で行われるので、ブース内に繰り出されたカーテンに印刷された自然の風景に適合しない照明が選択される等の問題が生じることもない。
【００１４】
本発明においては、前記選択受付手段が、所定の回数の撮影を行った後に、カーテンの変更を受け付けるように構成されていてもよい。このように構成することにより、変更の前後で異なる雰囲気の写真撮影を行うことができ、使用者により多くの背景で撮る楽しみを与えるとともに、様々な背景の写真を得ることができる。
【００１５】
筐体が、更に被写体に対して風を吹き出す送風ファンを備えていてもよい。送風ファンからの風により、使用者の髪や衣服がたなびき、使用者に自然の中にいるという臨場感を与えるとともに、撮影された写真に躍動感を与え、より一層自然の中で撮った雰囲気が作り出され、撮影された写真のリアリティをさらに高めることができる。また、送風ファンの駆動が選択されたカーテンに応じて制御されてもよい。
【００１６】
天井部にはカーテンの収納のための開口をそなえていてもよく、また前記カーテンは一端側からロール状巻かれて、前記天井部に収納されていてもよい。これにより、複数のカーテンを効率良く前記天井部に収納することが可能となる。
【００１７】
前記カーテン操作手段が、前記カーテンが天井部に収納されているときに、該カーテンの繰り出しをロックする解除自在なロック手段を有していてもよい。ロックを解除するだけで、カーテンが自重で撮影ブース内に繰り出されるよう構成すれば、カーテンを撮影ブース内に繰り出すための機構が簡略化できる。
【００１８】
前記カーテン操作手段が、前記選択受付手段により受け付けられた選択が、現在撮影ブース内に繰り出されたカーテンと対応しない場合に、該撮影ブース内に繰り出されているカーテンを巻き上げ、天井内に収納する巻上手段を有してもよい。これにより、使用者が現在繰り出されているカーテンの巻上を気にすることなく、自然の風景の選択を行うことができる。巻上手段は、例えば電動モータとすることができる。
【００１９】
前記ライティング調整手段が、前記照明手段の照明の明るさを選択された自然の風景に対応するように調整するものであってもよい。これにより、照明の調整のための機構をより簡単なものとすることができる。
【００２０】
前記ライティング調整手段が、前記照明手段の照明に選択された自然の風景に対応するフィルタを適用するものであってもよい。これにより、より複雑な光線状態を作り出すことができ、より自然の中にいる臨場感や、写真のリアリティを与えることができる。このようなフィルタは、例えば木漏れ日の光線状態を作り出す木漏れ日フィルタ等とすることができる。
【００２１】
【発明の実施の形態】
以下、本発明の実施の形態を、添付図面を参照して説明する。
【００２２】
図１は本発明の一実施形態に係る自動写真撮影装置の外観斜視図を、図２は同装置の撮影ブース内部における背面部付近の正面図を、図３は同装置の撮影ブースの後部天井部分の外観斜視図を示すものである。
【００２３】
図示されるように、自動写真撮影装置１０は、撮影ブース２０と、撮影ブース２０に隣接して設けられた筐体４０とを備えて構成されている。
【００２４】
筐体４０は、筐体４０の略中央部中程およびその上部に設置されたＣＣＤカメラ４１、４２と、該カメラにより撮影した映像をリアルタイムで表示するディスプレイ４３、４４と、撮影された映像を表示し、或いは撮影モードの指定や画像の編集など、各種の入力を行うためのタッチパネル式モニタ４５と入力ペン４６のセットと、撮影の際、撮影ブース内の被写体に適切な照明を照射するための正面ライト４７と、被写体に対して風を送風するための送風ファン４８と、利用者に対する案内やインストラクション、或いはバックミュージックを再生するためのスピーカ４９と、利用料金を受け入れるためのコイン投入口５０、および、現像された写真プリントを排出する写真排出口５１等を備えるとともに、撮影セッションの進行に応じてＣＣＤカメラ４１、４２、照明装置４７、スピーカ４８などの制御を行う制御手段５２（図４参照）を備えている。
【００２５】
また、撮影ブース２０は筐体４０に隣接して設けられ、撮影ブース２０の天井面２１、筐体の対向面である背面２２、及び両側面２３を構成する遮光性の板乃至シートと、筐体４０により囲まれる空間に撮影スペースが形成されている。撮影ブースの一側面または両側面２３には利用者が出入りするための開口２４が設置され、該開口２４には、遮光性のカーテン乃至アコーディオンドア２５が設けられ、撮影時に該カーテン乃至アコーディオンドア２５を閉じることで、撮影スペースを外部光が遮断された独立した空間とすることが可能に構成されている。
【００２６】
撮影ブースの後部天井部には、一端側からロール状に巻かれた複数、本実施形態にあっては４枚のカーテン２６が収納されており、夫々のカーテンには、真夏の砂浜、新緑の森、紅葉の林、冬の雪山といった各々異なるリアルな自然の風景が印刷されている。
【００２７】
各カーテンは撮影ブース内のスペースの概ね全幅、全高にわたる大きさを有しており、ＣＣＤカメラの撮影視野または画角に対して十分な大きさを有するものである。
【００２８】
後部天井部分には各カーテンに対応した開口２７が設けられており、この開口２７を介して、各カーテンの撮影ブース２０内への繰り出し、撮影ブース内からの収納が行われる。
【００２９】
また、各カーテン２６には、巻き上げられて後部天井部分に収納されている際に、撮影ブース２０内への繰り出しをロックする解除自在なロック手段２８が設けられており、カーテンはロックを解除することにより、自重で撮影ブース内に繰り出されるように構成されている。
【００３０】
ロック手段としては、カーテンをロール状に巻くための軸の一端に設けられた電磁的に解除可能な電磁ブレーキまたはソレノイドとすることができる。
【００３１】
更に、各カーテンには、撮影ブースからの当該カーテンの巻上を可能にするための巻上手段として、電磁クラッチ等の機構を介して軸に結合された電動モータ２９が設けられている。
【００３２】
また、各カーテンには、該カーテンが巻き上げられて天井内に収納されているのか、撮影ブース内に繰り出されているのかを検知するセンサ手段３０が設けられている。
【００３３】
そして、利用者が入力ペン４６を用いてタッチパネル式モニタ４５を介して入力し、受け付けられた、カーテンの選択に応じて、上記制御手段５２は、ロック手段２８、巻上手段２９を制御し、選択されたカーテンのロックを解除して、選択されたカーテンを撮影ブース内に繰り出し、また、選択されていないカーテンが撮影ブース内に繰り出されている場合には、巻上手段２９を駆動して、これを巻き上げ、後部天井部分に収納する。
【００３４】
また図２に示すように、筐体４０に設けられた正面ライと４７に加えて、撮影ブース２０の天井面および側面にも、被写体を照明するための照明装置３１が設けられている。
【００３５】
これらの照明装置３１、及び筐体に設けられた正面ライト４７は、制御手段５２からの制御に基づいて動作するライティング調整手段５６（図４参照）により、その点灯や、光量が調整されるように構成されている。
【００３６】
そして、利用者が入力ペン４６を用いてタッチパネル式モニタ４５を介して入力し、受け付けられた、カーテンの選択に応じて、上記制御手段５１は、ライティング調整手段５６を制御することにより、選択されたカーテンに印刷された自然の風景に対応するように、照明が調整され、各撮影タイミングにおいて、選択されたカーテンに印刷された自然の風景に対応したライティングが実現される。
【００３７】
また、撮影ブース２０の一方の側面２３には、筐体４０に設けられて送風ファン４８の起動、停止のためのボタンスイッチ３２も設けられている。送風ファン４８は、後述するように、制御手段５１による制御により、利用者が入力ペン４６を用いてタッチパネル式モニタ４５を介して入力し、受け付けられた、カーテンの選択に連動して起動されるが、利用者は、送風の停止や、再度の送風を希望する場合には、該ボタンスイッチ３２を操作することにより、送風ファン４８の停止、起動が行うことができる。
【００３８】
次に図４に基づいて、上記した自動写真撮影装置１０のシステム構成を説明する。
【００３９】
図示されるように、制御手段５２は、自動写真撮影装置１０の全体の制御を行うパーソナルコンピュータであり、バス８１により相互に接続されるＣＰＵ８２、ＲＯＭ８３、ＲＡＭ８４、及び、ハードディスク８６、ＣＤ−ＲＯＭ８７並びに後述の外部機器に接続されるインターフェース（Ｉ／Ｆ）８５を備えて構成されている。
【００４０】
ＣＰＵ８２は、自動写真撮影装置１０全体の動作、処理等を制御するものであり、ＲＯＭ８３は、パーソナルコンピュータを制御するための基本的なプログラムを格納し、ＲＡＭ８４は、ＣＰＵ８２の作業用データや、利用者が行った入力を一時的に格納し、ハードディスク８６は、ＣＤ−ＲＯＭ８７から読み込まれたプログラムや、撮影や被写体画像の編集に供される種々のデータを格納するために使用される。なお、上記したロック手段２８や、巻上手段２９、ライティング調整手段５６を制御するためのプログラムは、ＣＤ−ＲＯＭ８７に格納されている。
【００４１】
インターフェース８５には、ＣＣＤカメラ４１、４２、タッチパネル式モニタ４５とタッチペン４６よりなる入力装置、スピーカ４９に接続された音声出力装置５５、コイン処理部５３、プリンタ５４、ライティング調整手段５６、カーテンの状態を検知するためのセンサ３０、送風ファン４８並びにロック手段２８および巻上手段２９からなるカーテン操作手段６０などの外部機器に接続されており、ＣＰＵ８２とこれら各機器との間における信号の授受が可能とされる。
【００４２】
タッチパネル式モニタ４５は透明なタッチパネル４５−１をＣＲＴモニタ４５−２のモニタ画面上に積層して構成されたものであり、タッチパネル４５−１にタッチペン４６を接触させることにより、種々の入力を可能とするものである。
【００４３】
また、コイン処理部５３は、コイン投入口に投入された硬貨を検出し、所定の利用料金が支払われた場合はＣＰＵ８２にその旨を通知するものであり、プリンタ５４は、レイアウトされた撮影画像を例えばＡ６サイズの写真シールに印刷して写真排出口５１に排出するものである。
【００４４】
図５は、撮影セッションにおける自動写真撮影装置１０の動作を説明するフローチャートである。
【００４５】
自動写真撮影装置１０は、コイン処理部５３から所定のコイン検出信号をＣＰＵ８２が受信した場合にゲームを開始し、入力装置（４５、４６）などからの指定やＣＤ−ＲＯＭ８７等に記録されたプログラムに従って撮影セッションの処理が実行される。
【００４６】
撮影セッションは、カーテンの選択、選択されたカーテンを背景として自動で一定枚数の写真撮影、カーテンの再選択といった流れで、所定の全枚数を撮り終わるまで続けられる。
【００４７】
撮影セッションが開始されると、制御手段５２はまず、タッチパネル式モニタ４５上にカーテンの選択画面を表示して、利用者にカーテンの選択を促す（ステップ１）。選択画面の一例を図５に示す。選択は矢印キーボタン７１を入力ペン４６によりタッチして自然の風景をイメージさせる好みのカーテン名、「森カーテン」、「海辺カーテン」、「紅葉カーテン」、「雪山カーテン」等を順次表示させ、所望のカーテンが表示されたところで決定ボタン７２をタッチすることにより行われる。また、選択画面には、撮影の開始までの時間７３が表示される。制御装置５２は所定の時間内に選択が行われなかった場合には、その時点にタッチパネル式モニタ４５上に表示されているカーテンが再選択されたものとして以降の処理を実行する。
【００４８】
タッチパネル式モニタ４５を介して選択が受け付けられると、制御手段５２は、現在撮影ブース２０内に繰り出されているカーテン２６が有るか否かのチェックを行う（ステップ２）。
【００４９】
現在繰り出されているカーテン２６が無い場合には、選択されたカーテン名に対応するカーテン２６の撮影ブース内への繰り出しを行う（ステップ３）。このため、制御手段５２は、選択されたカーテン、例えば「海辺カーテン」が選択された場合には、真夏の砂浜の印刷されたカーテン２６のロック手段２８のロックを解除する。ロックが解除されたカーテンは、天井の対応する開口２７を通って、自重により撮影ブース内に繰り出される。
【００５０】
次いで、制御手段５２は、ライティング調整手段５６を制御して、正面ライト４７および照明装置３１の各々の点灯、光量を調整して、選択されたカーテンに印刷されている風景に基づき、正面ライト４７および照明装置３１の照明が、当該風景に対応するようなものになるように調整する（ステップ４）。
【００５１】
例えば、「海辺カーテン」が選択された場合には、真夏の太陽のもとでの撮影を表現するために、正面ライト４７および照明装置３１の全てを点灯し、しかも最大の光量となるように調整される。また、「森カーテン」が選ばれた場合には、印刷されている森の雰囲気に合わせてライティングもやや落ち着いた明るさとなるように、全てを点灯するが光量は最大の光量に対して例えば７０％程度となるように若干落として調整される。
【００５２】
また、正面ライト４７および照明装置３１の各々の点灯、光量の調整に加えて、または単独で、選ばれた風景に独特の光線環境を作り出すために、正面ライト４７および照明装置３１のいずれかにフィルタを適用するようにしてもよい。このようなフィルタとしては、例えば「森カーテン」が選ばれた場合に、木漏れ日を模した影を作り出すためのフィルタが使用される。
【００５３】
次に、制御手段５２は、使用者の衣服や、髪をたなびかせるために、送風ファン４８を起動し、風を被写体に送る（ステップ５）。送風ファン４８の風量は、かるく衣服や髪がたなびく程度に一定に調整されているが、風景に応じて風量が異なる様に制御されていてもよい。
【００５４】
なお、使用者は送風ファンからの風が不用と考える場合には、撮影ブース２０の側面２３に設けられたボタンスイッチ３２を操作することにより、送風ファン４８を停止させることもできる。
【００５５】
一方、ステップ２において、現在繰り出されているカーテン３２があると判断された場合には、繰り出されているカーテン３２が選択されたカーテンか否かを判断する（ステップ７）。選択されたカーテンであると判断した場合には、ステップ５に進み、送風ファン４８を起動する。
【００５６】
ステップ７において、現在繰り出されているカーテンは選択されたものではないと判断した場合には、制御手段５２は、現在繰り出されているカーテンの巻上手段２９を駆動して、カーテンを巻き上げ、天井に収納し、ステップ３に進み、選択されたカーテンの繰り出し、ライティングの調整（ステップ４）、送風ファンの起動（ステップ５）を実行する。
【００５７】
以上により、タッチパネル式モニタ４５を介した使用者のカーテンの選択に応じて、選択されたカーテンが背景として撮影ブース２０内に繰り出され、カーテンの風景に対応するライティングに調整され、被写体に対して風が送られている状態となり、この状態で、制御手段５２の制御に基づきＣＣＤカメラによる実際の撮影が行われる（ステップ６）。撮影に際しては、ＣＣＤカメラからのスルーの影像がディスプレイ４３、４４に表示されるので、利用者はこれを見ながら立ち位置やポーズを確認しつつ撮影することができる。
【００５８】
このとき、利用者に対しては、音声出力装置５５からの音声やタッチパネル式モニタ上の画像により撮影タイミングを知らせるための告知が行われる。
【００５９】
撮影は一定の間隔で所定の回数、例えば７回行われ、該所定の回数の撮影が為されると、いったん撮影を中断し、利用者にカーテンの再選択が可能であることを音声出力装置５５から告知するとともにタッチパネル式モニタ４５上にカーテンの再選択画面を表示して、一定の時間（例えば３０秒）、利用者にカーテンの再選択を促す。このとき、送風ファン４８はいったん停止される。再選択画面の一例を図７に示す。再選択画面には、次の撮影の開始までの時間７４が表示される。制御手段５２は所定の時間内に再選択が行われなかった場合には、その時点にタッチパネル式モニタ４５上に表示されているカーテンが再選択されたものとして以降の処理を実行する。
【００６０】
また、制御手段５２は、カーテンの再選択を促す一定の時間の間、カメラ内のバッファに蓄積された撮影された画像をＲＡＭ８４に一括して転送する。
【００６１】
カーテンの再選択の完了後、再度ステップ７に進み、新たに選択されたカーテンが、前に選択されたカーテン、従って現在撮影ブース内に繰り出されえているカーテンと、同じものであるかどうかを判断し、以降のステップ、即ち、選択されたカーテンの撮影ブース内への繰り出し（ステップ３）、ライティングの調整（ステップ４）、送風ファンの起動（ステップ５）、一定回数の撮影（ステップ６）を繰り返す。
【００６２】
以上のようにして撮影セッションを進行させ、所定の全撮影枚数を取り終えるまで、撮影が続けられる（ステップ９）。
【００６３】
所定の全撮影枚数を撮り終えると、撮影セッションは終了する。この段階では、撮影された全ての画像はＲＡＭ８４に蓄えられており、これらの画像に対し以降の画像編集受付、画像提供などの処理を実行するものとすることができる。
【００６４】
画像編集受付ステップでは、撮影された複数の画像から利用者が選択する画像に対して明度、色彩などの変更、他の画像との結合、らくがき、あるいは、印刷用レイアウトの設定など、より多様で魅力的な写真作成を可能とするための従来公知の画像編集を受け付けるものとすることができる。
【００６５】
画像提供ステップでは、撮影画像に上記画像変種受付ステップで受け付けた編集を加えたデータに基づいて写真シールを作成し、これを写真シール排出口５１から提供するものとすることができ、或いは、撮影画像に上記画像変種受付ステップで受け付けた編集を加えたデータを図示されない通信機構を使用して、利用者が所有する携帯電話やＰＤＡなどに直接、或いは、インターネットなどを介して提供するものとして構成することができる。
【００６６】
以上のように、タッチパネル式モニタ４５を介した使用者によるカーテンの選択に基づいて、選択されたカーテンの繰り出し、カーテンに印刷された自然の風景に合ったライティングの調整、送風ファンの起動が自動的に連動して行われるので、自然の風景を背景としたよりリアルで違和感のない高級感ある写真を簡単に、間違いなく撮影することができる。
【００６７】
なお、上記した実施形態では、４枚のカーテンを備える例を示したが、本願発明はこれに限られず、天井部分に収納されるならば、何枚であってもかまわない。また、カーテンに印刷される自然の風景も、任意のものとすることができる。
【００６８】
また、上記した実施形態では、カーテンは一端からロール状に巻かれて収納されているが、本願発明はこれに限られず、例えばアコーデオン式やその他収納に適したものであればいずれの形態とすることもできる。
【００６９】
また、上記した実施形態では、カーテンはロックを解除することにより、自重で撮影ブース内に繰り出されるように構成されているが、本願発明はこれに限られず、例えば、電動モータによって繰り出されるものとすることもできる。
【００７０】
また、上記した実施形態では、繰り出されたカーテンは電動モータによって巻き上げられるものであったが、本願発明はこれに限られず、バネなどの弾性部財によって巻き上げられるものとすることもできる。
【００７１】
【発明の効果】
以上の説明から明らかなとおり、本発明は、撮影ブースの筐体からの遠端部近傍の天井部に収納されたそれぞれ自然の風景が印刷された複数のカーテンと、使用者の入力操作に応答して、複数のカーテンのうちのいずれか一つの選択を受け付ける選択受付手段と、選択受付手段により受け付けられた選択に応じて、該選択されたカーテンを撮影ブース内に繰り出し、撮影の背景とするカーテン操作手段と、選択受付手段により受け付けられた選択に応じて、照明手段による照明を選択されたカーテンに印刷された自然の風景に対応するように調整するライティング調整手段とを有することから、自然の風景を背景としたよりリアルで違和感のない高級感ある写真を簡単に、間違いなく撮影することができる、という効果を奏する。
【００７２】
また、本発明は、筐体に被写体に対して風を吹き出す送風ファンを設け、送風ファンの駆動をカーテンの繰り出しと連動して行うことにより、使用者に自然の中にいるという臨場感を与えるとともに、撮影された写真に躍動感を与え、より一層自然の中で撮った雰囲気が作り出され、撮影された写真のリアリティをさらに高めることができる、という効果を奏する。
【図面の簡単な説明】
【図１】本発明の一実施形態に係る自動写真撮影装置の外観斜視図。
【図２】本発明の一実施態様に係る自動写真撮影装置の撮影ブース内部における背面部付近の正面図。
【図３】本発明の一実施態様に係る自動写真撮影装置の撮影ブースの後部天井部分の外観斜視図。
【図４】本発明の一実施態様に係る自動写真撮影装置のシステム構成を示す説明図。
【図５】本発明の一実施態様に係る自動写真撮影装置の動作を説明するフローチャート。
【図６】カーテンの選択画面を示す図。
【図７】カーテンの再選択画面を示す図。
【符号の説明】
１０　自動写真撮影装置
２０　撮影ブース
２１　撮影ブース天井面
２２　撮影ブース背面
２３　撮影ブース側面
２４　開口
２５　アコーディオンドア
２６　カーテン
２７　開口
２８　ロック手段
２９　巻上手段
３０　センサ
３１　照明装置
４０　筐体
４１、４２　ＣＣＤカメラ
４３、４４　ディスプレイ
４５　タッチパネル式モニタ
４６　タッチペン
４７　正面ライト
４８　送風ファン
４９　スピーカ
５０　コイン投入口
５１　写真排出口
５２　制御手段
５３　コイン処理部
５４　プリンタ
５５　音声出力装置
５６　ライティング調整手段
８１　バス
８２　ＣＰＵ
８３　ＲＯＭ
８４　ＲＡＭ
８５　インターフェース
８６　ハードディスク
８７　ＣＤ−ＲＯＭ
【図１】
2004085595.tif 000003
【図２】
2004085595.tif 000004
【図３】
2004085595.tif 000005
【図４】
2004085595.tif 000006
【図５】
2004085595.tif 000007
【図６】
2004085595.tif 000008
【図７】
2004085595.tif 000009